(57)【要約】      （修正有）【課題】緊急地震速報、地震の初期微動で気象庁が観測した地震発生の情報を地震通報システムを通じて地震の主要動が到達する前に警告を視覚に伝えるうえで、遠方からの視認性を得るだけの十分な光量を有し、また、どの方角からも良好な視認性を継続して有するとともに、人に対する威圧感がない警告灯を提供する。【解決手段】一方の平面に表面処理７を施した両翼若しくは片翼の透光性材料からなる薄型導光板パネル８と、天井面及び壁面に設置可能な本体取付台１と、本体取付台１を覆う化粧カバー２と、本体取付台１に化粧カバー２を固定する固着具３と、本体取付台１上部にて薄型導光板パネル８の内側端面から外側に向くように配置された複数のカラーＬＥＤ素子列４及び制御回路５で構成される光源６と、電力を供給する電源装置とを具備する。【選択図】図１
2017059514.tif 000002
【特許請求の範囲】
【請求項１】
一方の平面に表面処理７を施した両翼若しくは片翼の透光性材料からなる薄型導光板パネル８と、
天井面及び壁面に設置可能な本体取付台１と、
本体取付台１を覆う化粧カバー２と、
本体取付台１に化粧カバー２を固定する固着具３と、
本体取付台１上部にて薄型導光板パネル８の内側端面から外側に向くように配置された複数のカラーＬＥＤ素子列４及び制御回路５で構成される光源６と、
電力を供給する電源装置１２と、を具備し、
この光源６により両翼若しくは片翼の薄型導光板パネル８が透明で且つ両面発光及び端面発光されることで、全天周に警告光を発し、反射によって広範囲に光らせることで天井、壁面若しくは床面をも発光体として利用することにより、大きな面積を光らせるため、視認性がよい警告灯であって、緊急地震速報、火災報知器、非常用放送設備若しくは押しボタン等の外部装置との通信を基に、制御回路５によりカラーＬＥＤ素子列２の点灯色やその切替モード、点滅モード、点灯・消灯モード等の発光状態を制御することを特徴とする警告灯。
【請求項２】
本体取付台１の内部または外部に付属された、１次電池又は２次電池式の電源ユニット９をさらに備え、電源ユニット９からの供給電源によって発光する請求項１記載の警告灯。
【請求項３】
本体取付台１の内部または外部に付属された、蓄電池を内蔵した無停電蓄電回路を有する電源ユニット１０をさらに備え、停電・断線時でも数時間は電源ユニット１０の蓄電池からの供給電源によって発光する請求項１記載の警告灯。
【請求項４】
本体取付台１の内部に付属された、無線操作信号を受信する受信部１１をさらに備え、前記受信部１１からの信号を通じ制御回路５によりカラーＬＥＤ素子列２の発光状態を制御するとともに、無線操作信号を送信する遠隔操作手段とからなる請求項１ないし３のいずれかに記載の警告灯。
【請求項５】
有線又は無線信号により制御回路５を通じて停電時に白色発光することで非常用照明器具になる機能付加した請求項１ないし４のいずれかに記載の警告灯
【請求項６】
有線又は無線信号により制御回路５を通じて音声信号を音に変換して拡声するスピーカーを付加した請求項１ないし４のいずれかに記載の警告灯
【請求項７】
有線又は無線信号により制御回路５を通じて外部にデータを送信するためのカメラやマイクを付加した請求項１ないし４のいずれかに記載の警告灯
【発明の詳細な説明】
【技術分野】
【０００１】  本発明は、警告灯、特に緊急防災速報、例えば、地震の初期微動で気象庁が観測した地震発生の情報を地震通報システムを通じて地震の主要動が到達する前に警告を視覚に伝えることで、可能な限り多くの人に危険を知らせることのできる警告灯に関する。
【背景技術】
【０００２】  警告灯として従来、電極配線を埋設した樹脂基板と、端子をこの樹脂基板の電極に接続されたＬＥＤと、樹脂基板に取り付けられ、ＬＥＤの発光方向に乱反射用凹凸面を形成した透明樹脂からなるカバー体と、樹脂基板とカバー体との間において、ＬＥＤの頭部を露出させるとともに上記乱反射用凹凸面に集光するよう取り付けた反射部とを有したものが知られている。（特許文献１）【０００３】  警告光の照射方向と直交の方向に向けられたＬＥＤと、そのＬＥＤからの光を前方に反射させる反射鏡が回動中心軸線の周りを回転可能に支持され、反射鏡はＬＥＤから主に前方に向かう光を扱う第１反射鏡と、主に後方に向かう光を扱う第２反射鏡より構成される反射構造を採用することで、点光源を看者に大きく見せることができ、視認性の向上に貢献できる回転灯が知られている。（特許文献２）【０００４】  地震データ解析装置が算出した予測情報に基づいて緊急地震速報送受信機から制御信号を受信すると動作する回転灯警報器が知られている（特許文献３）
【先行技術文献】
【特許文献】
【０００５】
【特許文献１】実開平８−００００１１１１号公報
【特許文献２】特開２００７−２９４２７１
【特許文献３】特開２００９−２５４４２２
【非特許文献】
【０００６】
【非特許文献１】
【発明の概要】
【発明が解決しようとする課題】
【０００７】  上記文献の警告灯は、景観重視や圧迫感という利用者の要望により小型化されてはいるものの、遠方からの視認性を得るだけの十分な光量を有するものではなく、或いは、どの方角からも良好な視認性を継続して有するものとは言えず、非常時に機能を充分に発揮できるとは言えなかった。また、平常時においては、景観重視の要望から警告灯の露出により逆に不安をあおることなく景観に溶け込み、建物の美観を損ねず、人に対する威圧感がないようにするには、従来の回転灯では不向きであった。【０００８】  本発明は、以上のような従来の課題に鑑み、
緊急防災速報、例えば、地震の初期微動で気象庁が観測した地震発生の情報を地震通報システムを通じて地震の主要動が到達する前に警告を視覚に伝えるうえで、光量の不足や視認性の確保の問題に対応し、遠方からの視認性を得るだけの十分な光量を有し、また、どの方角からも良好な視認性を継続して有するとともに、一方で平常時においては、透明なパネルにより景観重視の要望から警告灯の露出により逆に不安をあおることなく景観に溶け込み、建物の美観を損ねず、人に対する威圧感がない警告灯及びその本体ユニットを提供することを課題とする。
【課題を解決するための手段】
【０００９】  上記目的を達成するために、一方の平面に表面処理７を施した両翼若しくは片翼の透光性材料からなる薄型導光板パネル８と、天井面及び壁面に設置可能な本体取付台１と、本体取付台１を覆う化粧カバー２と、本体取付台１に化粧カバー２を固定する固着具３と、本体取付台１上部にて薄型導光板パネル８の内側端面から外側に向くように配置された複数のカラーＬＥＤ素子列４及び制御回路５で構成される光源６と、電力を供給する電源装置１２と、を具備し、この光源６により両翼若しくは片翼の薄型導光板パネル８が透明で且つ両面発光及び端面発光されることで、全天周に警告光を発し、反射によって広範囲に光らせることで天井、壁面若しくは床面をも発光体として利用することにより、大きな面積を光らせるため、視認性がよい警告灯であって、緊急地震速報、火災報知器、非常用放送設備若しくは押しボタン等の外部装置との通信を基に、制御回路５によりカラーＬＥＤ素子列２の点灯色やその切替モード、点滅モード、点灯・消灯モード等の発光状態を制御することを特徴とする。
上記のものであれば、面発光及び端面発光することで、全方位からも遠方視認性の良い発光をさせることができ、警告効果の高い警告灯となる。また、警告光を発する必要のない平常時においては、薄型パネルで透明であるため、景観重視の要望から警告灯の露出により逆に不安をあおることなく景観に溶け込み、建物の美観を損ねず、人に対する威圧感がなく、回転灯のように突き出している部分が無いため、万が一の接触事故により、警告灯を壊したり、逆に怪我をしたりする可能性が極端に低くなるので、安全性も一段と向上させることができる。【００１０】  本体取付台１の内部または外部に付属された、１次電池又は２次電池式の電源ユニット９をさらに備えたものでもよい。すなわち、前記電源ユニット９からの供給電源によって発光するものでもよい。【００１１】  本体取付台１の内部または外部に付属された、蓄電池を内蔵した無停電蓄電回路を有する電源ユニット１０をさらに備えたものでもよい。すなわち、停電・断線時でも数時間は前記電源ユニット１０からの供給電源によって発光するものでもよい。【００１２】  前記いずれか記載の警告灯において、遠隔操作手段による発光制御手段を備えたものでもよい。すなわち、本体取付台１の内部に付属された、無線操作信号を受信する受信部１１をさらに備え、前記受信部１１からの信号を通じ制御回路５によりカラーＬＥＤ素子列２の発光状態を制御するものでもよい。これにより、無線操作信号を送信する遠隔操作手段が可能となり、有線であるが故に断線するようなトラブルが発生しないので、警告灯の発信が途切れることなく、緊急行動を促し続けることができる。
【発明の効果】
【００１３】  本発明によれば、面発光及び端面発光することで、全方位からも遠方視認性の良い発光をさせることができ、警告効果の高い警告灯となる。また、警告光を発する必要のない平常時においては、薄型パネルで透明であるため、景観重視の要望から警告灯の露出により逆に不安をあおることなく景観に溶け込み、建物の美観を損ねず、人に対する威圧感がなく、回転灯のように突き出している部分が無いため、万が一の接触事故により、警告灯を壊したり、逆に怪我をしたりする可能性が極端に低くなるので、安全性も一段と向上させることができる。さらに、大規模災害時に停電時や電源が断線した際にもバックアップ機能を付加すれば、これにより光源が発光し続け数時間は機能するので、暗所で衝突して怪我をしたり逃げ遅れたりすることが少なくなる。さらに、無線操作信号を送信する遠隔操作手段を付加すれば、有線であるが故に断線するようなトラブルが発生しないので、警告灯の発信が途切れることなく、緊急行動を促し続けることができるので、パニックに陥ることなく落ち着いて安全かつ短時間で避難することができるという利点がある。さらに、有線又は無線信号により制御回路を通じて停電時に白色発光することで非常用照明器具になる機能を付加することも可能である。さらに、有線又は無線信号により制御回路を通じて音声信号を音に変換して拡声するスピーカーを付加することも可能である。さらに有線又は無線信号により制御回路を通じて外部にデータを送信するためのカメラやマイクを付加することも可能である。
【図面の簡単な説明】
【００１４】
【図１】  本発明の警告灯の本体ユニットの構造を示す平面図である。
【図２】  本発明の警告灯の本体ユニットの構造を示す上方側面図である。
【図３】  本発明の警告灯の本体ユニットの構造を示す断面図である。
【図４】  本発明の警告灯の外観を示す上方斜視図である。
【図５】  本発明の警告灯に１次電池又は２次電池式の電源ユニットを備えた構造を示す平面図である。
【図６】  本発明の警告灯に蓄電池を内蔵した無停電蓄電回路を有する電源ユニットを備えた構造を示す平面図である。
【図７】  本発明の警告灯に遠隔操作手段による発光制御手段を備えた構造を示す平面図である。
【発明を実施するための形態】
【００１５】  本発明に係るカラーＬＥＤ薄型導光板パネル式警告灯は、緊急防災速報、例えば、地震の初期微動で気象庁が観測した地震発生の情報を地震通報システムを通じて地震の主要動が到達する前に警告を視覚に伝えるうえで、光量の不足や視認性の確保の問題に対応し、遠方からの視認性を得るだけの十分な光量を有し、また、どの方角からも良好な視認性を継続して有するとともに、一方で平常時においては、景観重視の要望から警告灯の露出により逆に不安をあおることなく景観に溶け込み、建物の美観を損ねず、人に対する威圧感がない警告灯及びその本体ユニットを実現した。
【実施例１】
【００１６】  図１は本発明の警告灯の本体ユニットの構造を示す平面図である。一方の平面に表面処理７を施した両翼若しくは片翼の透光性材料からなる薄型導光板パネル８と、天井面及び壁面に設置可能な本体取付台１と、本体取付台１を覆う化粧カバー２と、本体取付台１に化粧カバー２を固定する固着具３と、本体取付台１上部にて薄型導光板パネル８の内側端面から外側に向くように配置された複数のカラーＬＥＤ素子列４及び制御回路５で構成される光源６と、電力を供給する電源装置１２と、を具備し、この光源６により両翼若しくは片翼の薄型導光板パネル８が透明で且つ両面発光及び端面発光されることで、全天周に警告光を発し、反射によって広範囲に光らせることで天井、壁面若しくは床面をも発光体として利用することにより、大きな面積を光らせるため、視認性がよい警告灯であって、緊急地震速報、火災報知器、非常用放送設備若しくは押しボタン等の外部装置との通信を基に、制御回路５によりカラーＬＥＤ素子列２の点灯色やその切替モード、点滅モード、点灯・消灯モード等の発光状態を制御することを特徴とする。
上記のものであれば、面発光及び端面発光することで、全方位からも遠方視認性の良い発光をさせることができ、警告効果の高い警告灯となる。また、警告光を発する必要のない平常時においては、薄型パネルで透明であるため、景観重視の要望から警告灯の露出により逆に不安をあおることなく景観に溶け込み、建物の美観を損ねず、人に対する威圧感がなく、回転灯のように突き出している部分が無いため、万が一の接触事故により、警告灯を壊したり、逆に怪我をしたりする可能性が極端に低くなるので、安全性も一段と向上させることができる。【００１７】  図２は本発明の警告灯の本体ユニットの構造を示す上方側面図である。【００１８】  図３は本発明の警告灯の本体ユニットの構造を示す断面図である。【００１９】  図４は本発明の警告灯の外観を示す上方斜視図である。【００２０】  図５は本発明の警告灯に１次電池又は２次電池式の電源ユニットを備えた構造を示す平面図である。本体取付台１の内部または外部に付属された、１次電池又は２次電池式の電源ユニット９をさらに備えたものでもよい。すなわち、前記電源ユニット９からの供給電源によって発光するものでもよい。【００２１】  図６は本発明の警告灯に蓄電池を内蔵した無停電蓄電回路を有する電源ユニットを備えた構造を示す平面図である。本体取付台１の内部または外部に付属された、蓄電池を内蔵した無停電蓄電回路を有する電源ユニット１０をさらに備えたものでもよい。すなわち、停電・断線時でも数時間は前記電源ユニット１０からの供給電源によって発光するものでもよい。【００２２】  図７は本発明の警告灯に遠隔操作手段による発光制御手段を備えた構造を示す平面図である。すなわち、本体取付台１の内部に付属された、無線操作信号を受信する受信部１１をさらに備え、前記受信部１１からの信号を通じ制御回路５によりカラーＬＥＤ素子列２の発光状態を制御するものでもよい。これにより、無線操作信号を送信する遠隔操作手段が可能となり、有線であるが故に断線するようなトラブルが発生しないので、警告灯の発信が途切れることなく、緊急行動を促し続けることができる。
【産業上の利用可能性】
【００２３】  本発明は、警告灯、特に緊急防災速報、例えば、地震の初期微動で気象庁が観測した地震発生の情報を地震通報システムを通じて地震の主要動が到達する前に警告を視覚に伝えることで、可能な限り多くの人に危険を知らせることのできる警告灯に関する。
【符号の説明】
【００２４】  １    本体取付台
２    化粧カバー
３    固着具
４    カラーＬＥＤ素子列
５    制御回路
６    光源
７    表面処理
８    薄型導光板パネル
９    １次電池又は２次電池式の電源ユニット
１０  蓄電池を内蔵した無停電蓄電回路を有する電源ユニット
１１  無線操作信号を受信する受信部
１２  電力を供給する電源装置
【図１】
2017059514.tif 000003
【図２】
2017059514.tif 000004
【図３】
2017059514.tif 000005
【図４】
2017059514.tif 000006
【図５】
2017059514.tif 000007
【図６】
2017059514.tif 000008
【図７】
2017059514.tif 000009